(57)【要約】段ボールのウエブ（２）から段ボールブランクを打ち抜き、かつ随意にスリットを入れつつ、同時に前記段ボールブランク（２ａ）に折り線を適用する装置。この装置は、２つの相互作用するシリンダー（４、５）等の２つの相互作用する打ち抜きツールを含み、打ち抜き、スリット及び折り線ツールがこのシリンダー上に搭載されている。搬送ユニット（７、７ａ）が、２つの相互作用するシリンダー（４、５）の直後に搭載されており、搬送ユニット（７、７ａ）が、結合部材（１０、１５）を用いて組立モジュール（１ｂ）に接続されるよう適合されている。組立モジュール（１ｂ）は、打ち抜きをされ折り線を設けられた平板段ボールブランク（２ａ）を永久的又は半永久的な３次元形状に組み立てる。このようにして、打ち抜かれたが未だ組み立てられていない段ボールブランクの移動に関する顕著な物流管理の問題が解決される。さらに、この装置は非常に信頼性が高い。
2005517550.tif 000002
【特許請求の範囲】
【請求項１】
段ボールのウエブ（２）から段ボールブランク（２ａ）を打ち抜き、かつ随意にスリットを入れつつ、同時に前記段ボールブランクに折り線を適用する装置であって、該装置が、上側ツール及び下側ツールを具える平面パンチ、又は２つの相互作用するシリンダー（４、５）等の２つの相互作用する打ち抜きツールを含み、前記打ち抜き、スリット及び折り線ツールが前記２つの相互作用するシリンダー上に搭載されている装置において、コンベアベルト（７）又はシュート（７ａ）等の搬送ユニットが、相互作用する上側及び下側ツール、又は２つの相互作用するシリンダー（４、５）の直後に搭載されており、搬送ユニット（７）が、結合部材（１０、１５）を用いて組立モジュール（１ｂ）に接続されるよう適合されており、前記組立モジュールが、打ち抜きをされ折り線を設けられた平板段ボールブランクを永久的又は半永久的な３次元形状に組み立て、得られる段ボール物体は、製品を詰められる状態にあることを特徴とする装置。
【請求項２】
結合部材が、搬送ユニット（７）から到着する段ボールブランクの一時的な捕集（１６のための捕集区画を含み、前記捕集区画が、例えば側面ガイドレールを具える上側が開いた箱として成形されることを特徴とする請求項１に記載の装置。
【請求項３】
結合部材（１５）が、随意にプログラム制御手段（２０）、すなわち「通信手段」を具える移送手段（１８、１８ａ）を含み、同時に１個以上の段ボールブランクを捕集区画（１５）から組立モジュール（１ｂ）の供給端（１３）まで移送することを特徴とする、請求項１又は２に記載の装置。
【請求項４】
結合部材（１５）の移送手段（１８ａ）が、段ボールブランクを持ち上げ／把持し／押して、搬送ユニット（７）又は捕集区画（１５）から組立モジュールの供給端（１３）まで移動し、そこで前記段ボールブランクを解放し／離すよう適合されていることを特徴とする、請求項１、２又は３に記載の装置。
【請求項５】
結合部材の移送手段（１８）が吸着カップ（１８ａ）等の把持部材を例えばその自由端に具えており、随意に感光性接点を設けて、段ボールブランクが前記移送手段に近接した場合に前記移送手段を始動することを特徴とする、請求項１〜４のいずれか一項に記載の装置。
【請求項６】
段ボールブランクを解放する際に、結合部材の移送手段（１８ａ）が、所望の方法で組立モジュールの供給端（１３）に段ボールブランクを位置決めするよう適合されることを特徴とする、請求項１〜５のいずれか一項に記載の装置。
【請求項７】
結合部材の捕集区画が、一時的に捕集区画（１５）内に置かれた段ボールブランクの山（１６）の高さを制御するレベル制御ユニット（２１）を含むことを特徴とする、請求項１〜６のいずれか一項に記載の装置。
【請求項８】
結合部材が、搬送ユニット（７）と組立モジュール（１ｂ）ともしあればガイドレール（１０´、１０´´）を、随意に緊密な関係で、一緒にしておくよう適合されたフック部材（１０ａ、１０ｂ、１０ｃ、１０ｄ）等の結合手段を含んでおり、前記ガイドレールが、搬送ユニット（７）に搬入又は搬送された段ボールブランクを直接又はほとんど直接に組立モジュール（１ｂ）の供給端（１３）に滑走させることを特徴とする、請求項１〜７のいずれか一項に記載の装置。
【発明の詳細な説明】
【技術分野】
【０００１】
この発明は、段ボールのウエブから段ボールブランクを打ち抜き、かつ随意にスリットを入れつつ、同時に前記段ボールブランクに折り線を適用する装置であって、該装置が、上側ツール及び下側ツールを具える平面パンチ、又は２つの相互作用するシリンダー等の２つの相互作用する打ち抜きツールを含み、前記打ち抜き、スリット及び折り線ツールが前記２つの相互作用するシリンダー上に搭載されている装置に関する。
【背景技術】
【０００２】
段ボールのウエブから段ボールブランクを打ち抜き及び／又はスリット入れる装置は公知である。所望により、これらの装置は、段ボールブランクに折り線も適用することができる。典型的には、これらの装置は、梱包されるべき製品を製造している工場等の顧客向けに製造する段ボール工場に配置される。
【０００３】
さらに、段ボールブランクを組み立てる装置が公知である。この装置は、ブランクが詰められる状態にあるように、ブランクに永久的又は半永久的な３次元形状を与える。典型的には、これらの装置は製品製造工場に配置され、製品製造工程の最終ステップにより完全に梱包された製品を得る。
【０００４】
しかし、打ち抜き装置を段ボール工場等のある場所に置き、折り曲げ装置を製品製造工場等の他の場所に置くことは、最適な解決法ではない。なぜなら、段ボール工場で段ボールブランクを梱包し、これらブランクを製品製造工場まで運ぶことには、かなり複雑な物流管理を伴うからである。
【発明の開示】
【発明が解決しようとする課題】
【０００５】
この発明の目的は、前記の物流管理の問題を解決すると同時に非常に信頼できる上記のタイプの装置を提供することにある。
【課題を解決するための手段】
【０００６】
この発明に従う装置は、コンベアベルト又はシュート等の搬送ユニットが、相互作用する上側及び下側ツール、又は２つの相互作用するシリンダーの直後に搭載されており、搬送ユニットが、結合部材を用いて組立モジュールに接続されるよう適合されており、前記組立モジュールが、打ち抜きをされ折り線を設けられた平板段ボールブランクを永久的又は半永久的な３次元形状に組み立て、得られる段ボール物体は、製品を詰められる状態にあることを特徴とする。その結果、打ち抜かれた段ボールブランクを梱包し、製品製造工場に送ることを完全に回避できるので、物流管理面での利点が得られる。結合部材は、段ボールブランクの打ち抜きが製品製造工場において組立モジュールに隣接して行われるという効果を有する。その上、打ち抜きツールを組立モジュールと同一の工場で製造する必要がない。
【０００７】
この発明によれば、結合部材は、搬送ユニットから到着する段ボールブランクの一時的な捕集のための捕集区画を含んでもよい。この捕集区画は、例えば側面ガイドレールを具える、上側が開いた箱として成形される。その結果、組立モジュールが打ち抜きツールと同じ速度で運転できない場合に、打ち抜かれた段ボールブランクの好適なバッファが得られる。
【０００８】
さらに、この発明によれば、結合部材は、随意にプログラム制御手段、すなわち「通信手段」を具える移送手段を含み、同時に１個以上の段ボールブランクを捕集区画から組立モジュールの供給端まで移送してもよい。その結果、結合部材は、段ボールブランクの束を必要に応じて移送することができる。
【０００９】
この発明によれば、結合部材の移送手段は、段ボールブランクを持ち上げ／把持し／押して、搬送ユニット又は捕集区画から組立モジュールの供給端まで移動し、そこで段ボールブランクを解放し／離すよう適合されていてもよい。その結果として生じる、組立モジュールの供給端への段ボールブランクの移送は特に信頼性が高くなる。
【００１０】
加えて、この発明によれば、結合部材の移送手段が、例えばその自由端に把持部材を具えていてもよい。この把持部材は例えば吸着カップの形状である。この実施態様は特に信頼性が高いことが分かっている。なぜなら、移送手段が段ボールブランクに跡を残さないことが保証されているからである。
【００１１】
さらにまた、この発明によれば、結合部材の移送手段が、段ボールブランクの組立モジュールの供給端における解放に関連した所望の方法で、段ボールブランクを特定の場所に位置決めするよう適合されていてもよい。このようにして、段ボールブランクを任意の必要な所望の角度で組立モジュールに移送可能とすることが保証される。
【００１２】
また、この発明によれば、結合部材の捕集区画が、一時的に捕集区画内に置かれた段ボールブランクの山の高さを制御するレベル制御ユニットを含んでいてもよい。このようにして、捕集区画に貯蔵され待機している、打ち抜かれた段ボールブランクの数に制限が加えられることが保証される。捕集区画内で待機している段ボールブランクが多くなり過ぎた場合には、レベル制御ユニットが打ち抜きツールを一時的に停止することができる。
【００１３】
最後に、この発明によれば、結合部材が、前記搬送ユニットと組立モジュールともしあればガイドレールを、随意に緊密な関係で、一緒にしておくよう適合されたフック部材等の結合手段を含んでもよい。前記ガイドレールは、搬送ユニットに搬入又は搬送された段ボールブランクを直接又はほとんど直接に組立モジュールの供給端に滑走させる。その結果、この装置が比較的小型となる。
【発明を実施するための最良の形態】
【００１４】
添付の図を参照しつつ、この発明を詳細に説明する。
【００１５】
図１の装置は、２つの部分１ａ及び１ｂを含む。装置部分１ａは、段ボールのウエブ２から段ボールブランク２ａを打ち抜き、かつ随意にスリットを入れつつ、同時に前記段ボールブランクに折り線を適用する。装置部分１ａは、例えば２つの相互作用するシリンダー４、５等の相互作用する打ち抜きツールを含んでおり、図示しない打ち抜き、スリット及び／又は折り線ツールがシリンダー上に搭載されている。これら２つの相互作用するシリンダー４及び５の代わりに、段ボールブランクのウエブを処理するための上側ツール及び下側ツールを含む図示しない平面パンチとすることができる。搬送ユニット７は、２つの相互作用するシリンダー４、５、すなわち随意に相互作用する上側及び下側ツールの直後に搭載されている。この場合、搬送ユニット７はコンベアベルトにより形成されているが、シュート等の他の部材を含むことができる。搬送ユニット７は、結合手段を具える結合部材１０を用いて装置部分１ｂに接続されるよう適合される。装置部分１ｂは、平板段ボールブランクを組み立てる組立モジュールにより形成されている。この平板段ボールブランクは、打ち抜かれ、かつ段ボールブランクが永久的又は半永久的な３次元形状となるような方法で折り線を設けられている。次いで、得られた段ボール物体２ｃに、例えば後続モジュールを用いて製品を詰めることができる。装置部分１ｂ、すなわち組立モジュールは、到着する段ボールブランクを確実かつ迅速に運搬及び組み立てることができるという条件で、それ自体公知の任意の構造とすることができる。
【００１６】
結合部材１０は結合手段を含む。図３は、如何にしてこれら結合手段がフック部材１０ａ、１０ｂ、１０ｃ及び１０ｄにより形成され得るか、残余の結合部材が２つの平行なガイドレール１０´及び１０´´により形成され得るかを示している。図１において、組立モジュールの供給端はエンドレスコンベアベルト１３を具えており、結合部材１０が２つのコンベアベルト７及び１３を相互接続しており、図示しない結合穴がコンベアベルト１３に設けられ、フック部材１０ａ〜１０ｄを相互作用させている。
【００１７】
図２は、如何にして結合部材が、搬送ユニット７から到着する段ボールブランク２ａの一時的捕集のための捕集区画１５をさらに含むことができるのかを示す。捕集区画を、上側が開いた箱として形成することができ、好ましくはこれが、段ボールブランクを形成する、図示しない垂直な側面ガイドレールを有する。段ボールブランクが装置部分１から解放された場合に、コンベア７が前記ブランクを右方に搬送し、その後、ブランクは、随意にシュートを経由して、捕集区画１５に滑り落ち、そこで山１６を形成する。結合部材１５は、随意にプログラム制御手段、すなわち例えば組立モジュールに固定された「通信手段」２０を具える移送手段１８も含んでいるので、これら積み重ねたスタックをさらに移動することができる。この移送手段１８は、同時に１個以上の段ボールブランクを捕集区画１５から組立モジュール１ｂの供給端１３まで移送するよう適合されている。プログラム制御手段は、前記供給端を介して段ボールブランクを連結部材１ｂに連結部材１ｂの最適運転速度通りの速度で非常に注意深く供給できるように、移送手段１８を設定することを可能にする。図２において、移送手段１８は捕集区画上に直接取り付けられている。しかし、移送手段１８のいくつかの部品を組立モジュール１ｂ上に取り付けることもできる。
【００１８】
結合部材の移送手段１８は、通常、段ボールブランクを持ち上げ／把持し／押して、搬送ユニット又は捕集区画から組立モジュール１ｂの供給端１３まで移動し、そこで当該段ボールブランクを解放し／離して、図１３に示す供給コンベア１３を用いる等の他の方法で組立モジュール内に供給する。
【００１９】
結合部材の移送手段は通常非常に容易に移動可能である。移送手段の自由端１８ａは、通常、一対のトング等の把持部材又は１個以上の吸着カップ１８ａを設けた部材を具える。組立モジュールで各段ボールブランクを解放することに関連して、移送手段１８ａは、有利な方法で、随意にブランクが供給端１３と所定の角度を形成するような方法で、ブランクを組立モジュール１ｂの供給端１３に配置するよう適合されている。
【００２０】
図２は、如何にして結合部材の捕集区画１５が、捕集区画１５に一時的に置かれている段ボールブランクの山１６の高さを制御するレベル制御ユニット２１を含むことができるかを示す。
【００２１】
図３に示す結合部材１０の実施態様は、特に搬送ユニット７に搬入又は搬送された段ボールブランクを、折り曲げ、組み立て等のさらなる加工を施すために、組立モジュール１ｂの供給端１３に直接滑走させる。
【００２２】
発明の範囲から逸脱することなく、この発明を種々の方法で変更することができる。したがって、図示しない感光性接点及び対向する光源を、結合部材の移送手段１８との関係で配置することができる。これらの部材は移送手段１８を停止又は作動させるのに用いられる。この接点は、打ち抜かれた直後に移送手段に接近する段ボールブランク２ａが光源からの光線を反射した場合に、作動する。
【図面の簡単な説明】
【００２３】
【図１】この発明に従う装置の一実施態様の側面図である。
【図２】図１に対応するが、結合部材が段ボールブランク用捕集区画を含む場合の図である。
【図３】結合部材がコンベアを含む場合の装置の一実施態様を示す。
【図１】
2005517550.tif 000003
【図２】
2005517550.tif 000004
【図３】
2005517550.tif 000005
【国際調査報告】
2005517550.tif 000006
2005517550.tif 000007